(57)【要約】【課題】現場機器処理部等の処理部に対する入力情報をリアルタイムで再現し、故障等の異常、不具合をリアルタイムで特定し得る電子連動装置を提供することである。【解決手段】再現処理部１９は、連動再現データを、処理部１３１〜１３ｎの接続された通信ネットワーク１１に流し、処理部１３１〜１３ｎを、連動再現データに従って動作させる。処理部１３１〜１３ｎは、連動再現データを外部からの入力情報として受信し、それに従って模擬的な動作をする。したがって、処理部１３１〜１３ｎの模擬的な動作をリアルタイムで解析し、故障等に起因する異常をリアルタイムで把握することができる。【選択図】図１
2015036260.tif 000002
【特許請求の範囲】
【請求項１】
再現処理部を有する電子連動装置であって、
前記再現処理部は、連動再現データを、処理部の接続された通信ネットワークに流し、前記処理部を、前記連動再現データに従って動作させる、
電子連動装置。
【請求項２】
請求項１に記載された電子連動装置であって、
前記通信ネットワークは、ＬＡＮ（Local Area Network）であり、
前記連動再現データは、前記処理部に入力されるＬＡＮ単位データに反映させる、
電子連動装置。
【請求項３】
請求項１または２に記載された電子連動装置であって、連動モニタ装置を含んでおり、
前記連動モニタ装置は、連動データを蓄積しており、
前記再現処理部は、前記連動モニタ装置に蓄積された前記連動データを、連動再現データとして用いる、
電子連動装置。
【発明の詳細な説明】
【技術分野】
【０００１】
本発明は、電子連動装置に係り、更に詳しくは、各処理部の動作をリアルタイムに再現し、動作解析に資する手段を備えた電子連動装置に関する。
【背景技術】
【０００２】
電子連動装置は、例えば、特許文献１に記載されているように、駅毎に共通して使用する連動機能などを標準プログラムとして実装し、駅毎に異なる連動条件等は連動データとして個々の電子連動装置に与えられている。
【０００３】
ところで、電子連動装置には、故障等に対応するため再現機能が付加されている。しかしながら、従来の再現機能は、連動モニタ装置に蓄積されたデータを使用して、情報変化を表示させるだけの機能であった。このため、連動モニタ装置等を用いて、情報を時系列で確認できるに留まり、プログラムのどの部分でエラーが生じたのか、処理部のどこに不具合が生じたのか等を検証するのが難しいという問題があった。
【先行技術文献】
【特許文献】
【０００４】
【特許文献１】特開２００１−３０１６１９号公報
【発明の概要】
【発明が解決しようとする課題】
【０００５】
本発明の課題は、現場機器処理部等の処理部に対する入力情報をリアルタイムで再現し、故障等の異常、不具合をリアルタイムで特定し得る電子連動装置を提供することである。
【課題を解決するための手段】
【０００６】
以上の課題を解決するために、本発明に係る電子連動装置は、再現処理部を有する。前記再現処理部は、連動再現データを、処理部の接続された通信ネットワークに流し、前記処理部を、前記連動再現データに従って動作させる。連動再現データとは、過去に実際に実行された連動動作のデータを蓄積して得られたものである。
【０００７】
上記構成によれば、通信ネットワークに接続された各種の処理部は、連動再現データを外部からの入力情報として受信し、それに従って模擬的な動作をする。したがって、処理部の模擬的な動作をリアルタイムで解析し、故障等に起因する異常をリアルタイムで把握することができる。
【０００８】
通信ネットワークは、一般には、ＬＡＮ（Local Area Network）であり、この場合には、連動再現データは、処理部に入力されるＬＡＮ単位データに反映させる。
【０００９】
また、本発明に係る電子連動装置は、一般的な構成として、連動モニタ装置を含んでいる。前記連動モニタ装置は、連動データを蓄積しており、前記再現処理部は、前記連動モニタ装置１に蓄積された前記連動データを、連動再現データとして用いる。
【発明の効果】
【００１０】
以上述べたように、本発明によれば、現場機器処理部等の処理部に対する入力情報をリアルタイムで再現し、故障等の異常、不具合をリアルタイムで特定し得る電子連動装置を提供することができる。
【００１１】
本発明の他の目的、構成及び利点については、添付図面を参照し、更に詳しく説明する。添付図面は、単に、例示に過ぎない。
【図面の簡単な説明】
【００１２】
【図１】本発明に係る電子連動装置の構成を示すブロック図である。
【発明を実施するための形態】
【００１３】
図に示された電子連動装置は、駅単位の構成を表示したもので、連動モニタ装置１、連動制御盤３、自動進路制御装置５、第１通信ネットワーク７、制御盤・モニタ処理部９、第２通信ネットワーク１１、連動処理部１５、現場機器処理部１３１〜１３ｎ及び運行管理Ｉ/Ｆ部１７等を含んでいる。
【００１４】
連動モニタ装置１、連動制御盤３及び自動進路制御装置５は、第１通信ネットワーク７に接続されている。第１通信ネットワーク７は、例えば、二重化イーサ・ネットワークで構成されたＬＡＮ（Local Area Network）であり、回線７１と回線７２とを含んでいる。イーサ・ネットワークでは、送信すべき通信データを一定の長さ以下に分割して、決められた形式によるフレームを作り、情報を、常にフレームの形でネットワークに流す。このように、元の情報が分割されているために、ネットワーク機器は一定の長さ以下の情報を扱うだけで済む。よって、情報転送に関わるあらゆる処理が非常に単純な作業の繰り返しで済む。
【００１５】
連動モニタ装置１は、プログラム及びデータのローディング機能を有するものであって、一般には、パーソナル・コンピュータで構成される。自動進路制御装置５は、予め列車の出発順序や信号・分岐器の操作をプログラムする。連動制御盤３は、ダイヤの遅れが生じてしまった場合等に、自動進路制御装置５によって設定されたプログラムに従うことを断念し、手動で進路設定を実行できるようにする。
【００１６】
第１通信ネットワーク７は、制御盤・モニタ処理部９を介して、第２通信ネットワーク１１に接続されている。第２通信ネットワーク１１は、具体的には、二重化光ＬＡＮ等によって構成され、回線１１１と回線１１２を含んでいる。第２通信ネットワーク１１には、連動処理部１５、ｎ個の現場機器処理部１３１〜１３ｎ、運行管理Ｉ/Ｆ部１７等が接続されている。制御盤・モニタ処理部９は、連動モニタ装置１からの指示にしたがって、連動処理部１５、現場機器処理部１３１〜１３ｎ及び運行管理Ｉ/Ｆ部１７等で使用するプログラム及びデータを、第２通信ネットワーク１１に送信する。また、制御盤・モニタ処理部９は、上記の各部から受信した情報を連動モニタ装置１に示し、この情報に応じて連動モニタ装置１から指示されるデータ承認を、第１通信ネットワーク７を介して、連動モニタ装置１、連動制御盤３、自動進路制御装置５の各論理部に送信する。
【００１７】
連動処理部１５、現場機器処理部１３１〜１３ｎ及び運行管理Ｉ/Ｆ部１７は、中央演算処理装置（ＣＰＵ）を内蔵していて、制御盤・モニタ処理部９より第２通信ネットワーク１１を介して送信されたプログラム及びデータを受信し、内蔵されたメモリに格納するとともに、その受信を確認するアンサを、第２通信ネットワーク１１を介して制御盤・モニタ処理部９に送信する。現場機器処理部１３１〜１３ｎからは、図示しない現場機器、例えば信号機や転轍機に対して、連動制御が与えられる。
【００１８】
上述した構成及び機能は、従来の電子連動装置に見られるところである。本発明の特徴は、更に、再現処理部１９を有することである。再現処理部１９は、連動再現データを、入力データとして、連動処理部１５、現場機器処理部１３１〜１３ｎ及び運行管理Ｉ/Ｆ部１７の接続された第２通信ネットワーク１１に流し、連動処理部１５及び現場機器処理部１３１〜１３ｎを、連動再現データに従って模擬的に動作させる。
【００１９】
連動再現データに従った連動処理部１５及び現場機器処理部１３１〜１３ｎの動作の結果は、第２通信ネットワーク１１、制御盤・モニタ処理部９及びイーサ・ネットワーク７を経由して、連動モニタ装置１に送られる。
【００２０】
連動再現データは、連動処理部１５及び現場機器処理部１３１〜１３ｎの過去の動作に伴って、連動モニタ装置１に時系列的に蓄積されたデータである。再現処理部１９は、連動モニタ装置１に蓄積された連動再現データを、直接に、または、記録媒体等を介して間接的に取り込むことができる。連動再現データには、信号機や転てつ機等の現場機器の入力データ、付属操作盤の入力データ、シリアルＩ/Ｆ入力データ、システム入力データ等が含まれる。
【００２１】
図の実施形態において、再現処理部１９は、連動再現データを生成する再現データ生成部１９１と、再現データ処理部１９２とを含んでいる。再現データ生成部１９１は、産業用コンピュータ等で構成することができる。
【００２２】
再現データ処理部１９２は、再現データ生成部１９１で生成された連動再現データを、第２通信ネットワーク１１に供給する。第２通信ネットワーク１１がＬＡＮである場合には、連動再現データは、処理部に入力されるＬＡＮ単位データに反映させる。即ち、連動再現データは、第２通信ネットワーク１１に流れるデータ・フレームにおいて、そのＬＡＮ単位データに反映される。ＬＡＮ単位データは、連動処理部１５及び現場機器処理部１３１〜１３ｎのそれぞれの入力データであり、それらが一連に連なって一つのデータ・フレームを構成している。
【００２３】
上記構成によれば、第２通信ネットワーク１１に接続された各種の処理部、例えば、連動処理部１５及び現場機器処理部１３１〜１３ｎは、再現データ生成部１９１及び再現データ処理部１９２から供給された連動再現データを外部からの入力情報として受信し、それに従った動作をする。
【００２４】
したがって、連動処理部１５及び現場機器処理部１３１〜１３ｎ等で構成される処理部の動作をリアルタイムで解析し、シビアなタイミングで発生したと考えられる故障、異常または不具合をも、リアルタイムで、確実に把握することができる。連動処理部１５及び現場機器処理部１３１〜１３ｎの解析には、例えば、ロジック・アナライザ等が用いられる。また、連動処理部１５及び現場機器処理部１３１〜１３ｎのうち、何れか一つの動作を解析している間は、他の処理部のＬＡＮ出力は抑制する。
【００２５】
本発明は、基本的には、試験用ツールとして用いられる電子連動装置を開示するものであるが、実機としての電子連動装置への適用を排除するものではない。
【００２６】
以上、好ましい実施例を参照して本発明を詳細に説明したが、本発明はこれらに限定されるものではなく、当業者であれば、その基本的技術思想および教示に基づき、種々の変形例を想到できることは自明である。
【符号の説明】
【００２７】
１                連動モニタ装置１
７                第１通信ネットワーク
９                制御盤・モニタ処理部
１１                第２通信ネットワーク
１３１〜１３ｎ      現場機器処理部
１９                再現処理部
【図１】
2015036260.tif 000003